(57)【要約】【課題】段積み時の高さを従来より抑えることが可能なトレーを提供する。【解決手段】本発明のトレー１０は、波形に湾曲又は屈曲し、隣り合う波同士の間が複数のワーク受容溝４０となった波形壁１４を側壁２０，２１にて包囲してなる。また、波形壁１４の下面は、側壁２０，２１の下面の上方に位置し、トレー１０，１０同士が１８０°旋回されて段積みされると、下段側のトレー１０の上部が上段側のトレー１０の側壁２０，２１の内側に受容されると共に、下段側のトレー１０の波形壁１４の上側ピーク部の真上に上段側のトレー１０の波形壁１４の下側ピーク部が位置する。【選択図】図１０
2019218064.tif 000002
【特許請求の範囲】
【請求項１】
波形に湾曲又は屈曲し、隣り合う波同士の間が複数のワーク受容溝となった波形壁を側壁にて包囲してなるトレーにおいて、
前記波形壁の下面は、前記側壁の下面の上方に位置し、
前記トレー同士が１８０°旋回されて段積みされると、下段側のトレーの上部が上段側のトレーの前記側壁の内側に受容されると共に、前記下段側のトレーの前記波形壁の上側ピーク部の真上に前記上段側のトレーの前記波形壁の下側ピーク部が位置するトレー。
【請求項２】
前記波形壁の断面が三角波状になっている請求項１に記載のトレー。
【請求項３】
トレーの平面形状の中心に対して互いに点対称となる第１位置と第２位置との一方に、上方に向かって開口する上面凹部が形成されると共に、他方に、下方に向かって突出する係合突部が形成されて、
前記トレー同士を１８０度旋回して段積みしたときには、上段側の前記トレーの前記係合突部が下段側の前記トレーの前記上面凹部に受容されて、上段側の前記トレーが前記下段側の前記トレーに対し平行になり、
前記トレー同士を同じ向きにして段積みしたときには、前記上段側のトレーの前記係合突部が前記下段側の前記トレーの上面に当接して、上段側の前記トレーが前記下段側の前記トレーに対して傾斜する請求項１又は２に記載のトレー。
【請求項４】
前記トレーの平面形状は長方形をなし、その１対の長辺に前記上面凹部と前記係合突部とが配置されている請求項３に記載のトレー。
【発明の詳細な説明】
【技術分野】
【０００１】
本開示は、複数のワーク受容溝を横並びに備えた波形壁を有するトレーに関する。
【背景技術】
【０００２】
従来、この種のトレーとして、円柱状のワークや円板形のワークを重ねて円柱状にしたものをワーク受容溝に受容した状態で段積み可能としたものが知られている（例えば、特許文献１参照）。
【先行技術文献】
【特許文献】
【０００３】
【特許文献１】実開平６−６７３３３号公報（図１，図２、図４）
【発明の概要】
【発明が解決しようとする課題】
【０００４】
上述した従来のトレーに対し、段積み時の高さを抑えたトレーの開発が求められている。
【課題を解決するための手段】
【０００５】
上記課題を解決するためになされた請求項１の発明は、波形に湾曲又は屈曲し、隣り合う波同士の間が複数のワーク受容溝となった波形壁を側壁にて包囲してなるトレーにおいて、前記波形壁の下面は、前記側壁の下面の上方に位置し、前記トレー同士が１８０°旋回されて段積みされると、下段側のトレーの上部が上段側のトレーの前記側壁の内側に受容されると共に、前記下段側のトレーの前記波形壁の上側ピーク部の真上に前記上段側のトレーの前記波形壁の下側ピーク部が位置するトレーである。
【０００６】
請求項２の発明は、前記波形壁の断面が三角波状になっている請求項１に記載のトレーである。
【０００７】
請求項３の発明は、トレーの平面形状の中心に対して互いに点対称となる第１位置と第２位置との一方に、上方に向かって開口する上面凹部が形成されると共に、他方に、下方に向かって突出する係合突部が形成されて、前記トレー同士を１８０度旋回して段積みしたときには、上段側の前記トレーの前記係合突部が下段側の前記トレーの前記上面凹部に受容されて、上段側の前記トレーが前記下段側の前記トレーに対し平行になり、前記トレー同士を同じ向きにして段積みしたときには、前記上段側のトレーの前記係合突部が前記下段側の前記トレーの上面に当接して、上段側の前記トレーが前記下段側の前記トレーに対して傾斜する請求項１又は２に記載のトレーである。
【０００８】
請求項４の発明は、前記トレーの平面形状は長方形をなし、その１対の長辺に前記上面凹部と前記係合突部とが配置されている請求項３に記載のトレーである。
【発明の効果】
【０００９】
［請求項１の発明］
請求項１のトレーは、１８０°旋回されて段積みされると、下段側のトレーの上部が上段側のトレーの側壁の内側に受容されると共に、下段側のトレーの波形壁の上側ピーク部の真上に上段側のトレーの波形壁の下側ピーク部が位置する。これにより、下段側のトレーのワーク受容溝に受容されたワーク同士の隙間に、上段側のトレーの下側ピーク部が突入してデッドスペースが減り、トレーの段積み時の高さを抑えることができる。
【００１０】
［請求項２の発明］
請求項２のトレーでは、波形壁の断面が三角波状になっているので、鉛直断面が円形のワークを心出しした状態で受容することができる。
【００１１】
［請求項３の発明］
請求項３のトレーでは、トレー同士を１８０度旋回して段積みしたときには、上段側のトレーの係合突部が下段側のトレーの上面凹部に受容されて、上段側のトレーが下段側のトレーに対し平行になる。これに対し、トレー同士を同じ向きにして段積みしたときには、上段側のトレーの係合突部が下段側のトレーの上面に当接して、上段側のトレーが下段側のトレーに対して傾斜するので、トレー同士を同じ向きにして段積みされたことを気づかせることができる。
【００１２】
［請求項４の発明］
請求項４のトレーでは、その平面形状の長方形の１対の長辺に上面凹部と係合突部とが配置されているので、１対の短辺に配置されている場合に比べ、トレー同士を同じ向きにして段積みしたときの上段側のトレーの傾斜が大きくなり、トレー同士を同じ向きにして段積みされたことを容易に気づかせることができる。
【図面の簡単な説明】
【００１３】
【図１】本開示の実施形態に係るトレーの上面側の斜視図
【図２】トレーの下面側の斜視図
【図３】目印を逆向きして対向させた１対のトレーの斜視図
【図４】段積されたトレーの側断面図
【図５】段積されたトレーの一部破断の斜視図
【図６】段積されたトレーの一部破断の斜視図
【図７】段積されたトレーの一部破断の斜視図
【図８】パレットの斜視図
【図９】パレット上に段積みされたトレーの斜視図
【図１０】パレット上に段積みされたトレーの側断面図
【図１１】目印を同じ向きして対向させた１対のトレーの斜視図
【図１２】目印を同じ向きして対向させた１対のトレーの側断面図
【図１３】同じ向きで段積されたトレーの一部破断の斜視図
【図１４】同じ向きで段積されたトレーの一部破断の斜視図
【図１５】同じ向きで段積されたトレーの一部破断の側面図
【発明を実施するための形態】
【００１４】
以下、図１〜図１５に基づいてトレー１０の一実施形態について説明する。図１に示すように、本実施形態のトレー１０は、波形壁１４を１対の内部側壁１５，１５で挟んでなるトレー本体部１６を側壁２０，２１にて包囲した構造をなしている。
【００１５】
波形壁１４は、第１水平方向Ｈ１に長い帯状の板を、その第１水平方向Ｈ１に谷折り部１１と山折り部１２とが並ぶように三角波状に屈曲させた構造をなしている。また、谷折り部１１の両側の傾斜板部１３，１３の開き角と、山折り部１２の両側の傾斜板部１３，１３の開き角は、共に９０〜１３０度の一定角度になっている。さらに、図４に示すように、谷折り部１１は、その両隣の１対の傾斜板部１３，１３の間に水平な底板部１１Ａを有した面取り構造をなしている。一方、山折り部１２は、底板部１１Ａに相当する部位を備えず、傾斜板部１３，１３同士が交差した構造になっている。
【００１６】
図１に示すように波形壁１４のうち隣り合う波の間は、複数のワーク受容溝４０になっている。換言すれば、波形壁１４のうち谷折り部１１とその両側の傾斜板部１３，１３とからなるＶ溝部分が複数のワーク受容溝４０になっている。そして、それら複数のワーク受容溝４０が一定のピッチＰで第１水平方向Ｈ１に並んでいる。なお、本実施形態では、ワーク受容溝４０の数は、奇数個になっているが、偶数個であってもよい。
【００１７】
波形壁１４の一端のワーク受容溝４０における一方の傾斜板部１３の上端からは補完プレート２４が張り出し、その補完プレート２４の先端に側壁２１の上端が接続されている。一方、波形壁１４の他端のワーク受容溝４０における一方の傾斜板部１３の上端には、直接、側壁２１の上端が接続されている。また、補完プレート２４のうち第１水平方向Ｈ１と直交する第２水平方向Ｈ２の中央には、外側を指した矢印形の目印２４Ａが刻印されている。
【００１８】
補完プレート２４の第１水平方向Ｈ１の大きさは、複数のワーク受容溝４０が並ぶ１ピッチＰの略半分、即ち、「１／２ピッチ」になっている。つまり、１ピッチをＰ、ワーク受容溝４０の個数をｎとすると、補完プレート２４を含む波形壁１４の第１水平方向Ｈ１の全長Ｌは、
【００１９】
Ｌ＝Ｐ×ｎ＋１／２・Ｐ
【００２０】
になっている。これにより、波形壁１４における第１水平方向Ｈ１の中央位置（トレー１０全体の第１水平方向Ｈ１の中央位置でもある）は、それに最も近い谷折り部１１と山折り部１２との真中に配置されている。換言すれば、前記中央位置は、それに最も近い谷折り部１１と山折り部１２とから１／４ピッチずれた位置に配置されている。これにより、図３に示すように、トレー１０に対して、別のトレー１０を１８０度旋回させて、それらトレー１０，１０の第１水平方向Ｈ１の中心同士を合わせると、下側のトレー１０の谷折り部１１及び山折り部１２に対し、上段側のトレー１０の谷折り部１１及び山折り部１２が、第１水平方向Ｈ１で１／２ピッチずれた位置関係になって、図４に示すように、下側のトレー１０の谷折り部１１の真上に上側のトレー１０の山折り部１２が位置し、下側のトレー１０の山折り部１２の真上に上側のトレー１０の谷折り部１１が位置する。
【００２１】
図７に示すように、１対の内部側壁１５，１５は、第２水平方向Ｈ２で波形壁１４を挟み、ワーク受容溝４０の両端部を閉塞している。また、図５に示すように、内部側壁１５の下端は、波形壁１４に対応した三角波状をなし、波形壁１４より下方には突出していない。一方、内部側壁１５の上端は、波形壁１４より上方に位置しかつ水平になっている。また、ワーク受容溝４０の底面から内部側壁１５の上端までの高低差は、例えば、ワーク受容溝４０の溝幅より小さくなっている。これにより、少なくともワーク受容溝４０の溝幅と略同じ外形のワーク８０がワーク受容溝４０に受容されると、ワーク８０の一部が内部側壁１５より上方に突出する。
【００２２】
前述したようにトレー本体部１６は、波形壁１４を１対の内部側壁１５，１５で挟んでなり、そのトレー本体部１６は、図１に示すように、側壁２０，２１にて四方から包囲されている。以下、側壁２０，２１を区別するために、長側壁２０を「長側壁２０」といい、側壁２１を「短側壁２１」という。
【００２３】
１対の短側壁２１，２１の上端は、前述の通り第１水平方向Ｈ１における波形壁１４の一端と他端とに接続されている。また、短側壁２１の下端は、波形壁１４の下面より下方に位置している。具体的には、図４に示すように、短側壁２１は、波形壁１４の全体の高さの２〜３倍の高さをなし、短側壁２１によって支持された波形壁１４の下方には、波形壁１４の全体の高さ以上の空間が形成されている。
【００２４】
短側壁２１全体は、下方に向かうに従って外側に向かうように傾斜している。そして、短側壁２１は、例えば、波形壁１４の下面と略同じ高さで屈曲し、その屈曲部２１Ｋより下側の傾斜角の方が、上側の傾斜角より鉛直に近くなっている。また、短側壁２１の下端部からは、側方に下端フランジ２２が張り出している。そして、図１に示すように、短側壁２１のうち屈曲部２１Ｋより下側部分と下端フランジ２２との間を連絡する外面リブ２３が、短側壁２１の第２水平方向Ｈ２における両端と両端寄り位置とに形成されている。それら外面リブ２３は、縦長の四角形をなし、上面は水平になっている。
【００２５】
短側壁２１の第２水平方向Ｈ２の複数位置には、短側壁２１の一部を外側から段付き状に陥没させて側面陥没部２１Ａが形成されている。また、図２に示すように、側面陥没部２１Ａは、短側壁２１の内面側からは突出している。
【００２６】
図１５に示すように、側面陥没部２１Ａは、下方に向かって僅かに幅狭となった四角形をなし、屈曲部２１Ｋを跨いで短側壁２１の上端寄り位置から下端寄り位置に亘って形成されている。また、図４に示すように、側面陥没部２１Ａ内の底部は、短側壁２１のうち屈曲部２１Ｋより下側部分と平行に傾斜し、屈曲部２１Ｋより上方に向かって側面陥没部２１Ａが徐々に浅くなっている。さらに、図６に示すように、側面陥没部２１Ａの下縁部の段差面は傾斜していて、ゴミ等が溜まり難くなっている。
【００２７】
図１に示すように、１対の長側壁２０，２０は、内部側壁１５，１５の側方に配置されていす。そして、図７に示すように、長側壁２０と内部側壁１５，１５の上端同士が水平な天井壁２９を介して接続されている。また、長側壁２０は、短側壁２１の屈曲部２１Ｋより下側部分と略同じ一定の傾斜角で上から下端まで傾斜している。さらに、図２に示すように、長側壁２０の下端は、短側壁２１の下端と同じ位置に配置されている。そして、前述の下端フランジ２２がトレー１０の下端部全体に形成されて長側壁２０の下端部からも側方に張り出している。
【００２８】
図１に示すように、長側壁２０の第１水平方向Ｈ１の複数位置にも、側面陥没部２０Ａが形成されている。それら側面陥没部２０Ａは、長側壁２０の上端から下端寄り位置に亘り、上端は長側壁２０の上面に開放している。また、側面陥没部２０Ａの下縁部の段差面も、前述の側面陥没部２１Ａと同様に傾斜している。
【００２９】
図２に示すように、長側壁２０と内部側壁１５の対向面間は、複数の補強リブ２７によって連絡されている。それら補強リブ２７は、次述する一部を除き、波形壁１４の谷折り部１１に対応した内部側壁１５の三角部の下端頂点から天井壁２９に亘って形成されている。また、図７に示すように、補強リブ２７の下面は、波形壁１４における谷折り部１１の下面より上方に位置で水平になっている。
【００３０】
図３に示すように、トレー１０のうち第２水平方向Ｈ２における波形壁１４より一方側には、例えば、波形壁１４の補完プレート２４側の端部から数えて２番目の谷折り部１１の位置（つまり、波形壁１４の補完プレート２４側の端部から２．５ピッチ（２．５Ｐ）離れた位置）と、補完プレート２４の反対側の端部から数えて３番目の谷折り部１１の位置（つまり、波形壁１４の補完プレート２４と反対側の端部から３ピッチ（３Ｐ）離れた位置）に、前述の補強リブ２７の代わりに係合突部２６が備えられている。図７に示すように、係合突部２６は、補強リブ２７を下方に延長した構造をなし、谷折り部１１の下面より下方に突出し、下面は水平になっている。
【００３１】
図３に示すように、トレー１０のうち第２水平方向Ｈ２における波形壁１４より他方側には、例えば、内部側壁１５と長側壁２０と天井壁２９とからなる二重壁部の上端部を陥没させて１対の上面凹部２５，２５が形成されている。それらのうち一方の上面凹部２５は、例えば波形壁１４の補完プレート２４側の端部から数えて２番目の谷折り部１１より補完プレート２４から離れる側に半ピッチずれた位置（つまり、波形壁１４の補完プレート２４側の端部から３ピッチ（３Ｐ）離れた位置）に配置され、他方の上面凹部２５は、例えば、波形壁１４の補完プレート２４と反対側の端部から数えて２番目の谷折り部１１より補完プレート２４から離れる側に半ピッチずれた位置（つまり、波形壁１４の補完プレート２４側の端部から２．５（２．５Ｐ）ピッチ離れた位置）に配置されている。
【００３２】
つまり、上述した上面凹部２５，２５と係合突部２６，２６とは、トレー１０を１８０度旋回させたときに互いに点対称となる第１位置と第２位置の一方と他方とに分けて配置されている。これにより、図５に示すように、トレー１０を１８０度旋回させて段積みすると、下段側のトレー１０の上面凹部２５，２５に上段側のトレー１０の係合突部２６，２６が受容される。また、補強リブ２７の下面に対する係合突部２６の下方への突出量は、上面凹部２５の天井壁２９の上面に対する陥没量と同じかそれより小さくなっている。これにより、図６に示すように、係合突部２６が上面凹部２５に受容されると、補強リブ２７の下面が天井壁２９の上面に当接する。また、この状態で、下段側のトレー１０における外面リブ２３の上面が、上段側のトレー１０の下端フランジ２２の下面に当接する。さらには、図７に示すように、下段側のトレー１０における外面側の側面陥没部２０Ａの陥没部分に、上段側のトレー１０の内面側の側面陥没部２０Ａの突出部分が嵌合して、上下のトレー１０，１０同士が第１水平方向Ｈ１と第２水平方向Ｈ２との両方向で位置決めされる。
【００３３】
本実施形態のトレー１０の構成に関する説明は以上である。次ぎに、このトレー１０の作用効果について説明する。図８には、トレー１０の搬送に使用されるパレット９０が示されている。このパレット９０は、トレー１０の平面形状に対応した長方形をなし、その短手方向に貫通する１対のフォーク挿入孔９１，９１を有する。また、パレット９０の上面の外縁部には段差面９２が形成されて、段差面９２より内側が段付き状に高い台座部９３になっている。
【００３４】
トレー１０は、長側壁２０及び短側壁２１の内側に台座部９３が嵌合されるようにパレット９０上に載置される。すると、トレー１０の下端フランジ２２とパレット９０の段差面９２、及び、トレー１０の底板部１１Ａとパレット９０の台座部９３との両方が当接するか、何れか一方が当接しかつ他方が近接した状態になる。
【００３５】
この状態で、図９及び図１０に示すように、パレット９０上のトレー１０のワーク受容溝４０にワーク８０が受容される。具体的には、図９及び図１０に示したワーク８０は、例えば、金属製の円板であって、複数重ねられて円柱状になった状態でワーク受容溝４０に受容されている。また、トレー１０毎に同じ外径のワーク８０が受容される。そして、ワーク８０は、ワーク受容溝４０で１対の傾斜板部１３，１３に当接することで心出しされると共に、内部側壁１５，１５の支持によりワーク受容溝４０内で起立した状態に維持される。
【００３６】
トレー１０の複数のワーク受容溝４０がワーク８０で満たされたら、その上に別のトレー１０が段積みされ、そのトレー１０のワーク受容溝４０がワーク８０で満たされたら、さらに、その上に別のトレー１０を段積されていく。その際、上下で隣り合うトレー１０，１０の目印２４Ａの向きが互いに逆向きになるように、複数のトレー１０が交互に１８０度向きを変えて段積みされていく。
【００３７】
すると、図６に示すように、下段側のトレー１０の上部が上段側のトレー１０の側壁の内側に突入し、下段側のトレー１０の上面凹部２５，２５に上段側のトレー１０の係合突部２６，２６が受容される。そして、下段側のトレー１０の上面に補強リブ２７が当接し、上段側のトレー１０が下段側のトレー１０と平行になる。
【００３８】
また、このとき、図７に示すように、下段側のトレー１０の外面側の側面陥没部２０Ａの陥没部分に、上段側のトレー１０のの内面側の側面陥没部２０Ａの突出部分が嵌合して、上下のトレー１０，１０同士が水平方向で位置決めされる。そして、図１０に示すように、下段側のトレー１０の波形壁１４の上側ピーク部（即ち、山折り部１２）の真上に上段側のトレー１０の波形壁１４の下側ピーク部（即ち、谷折り部１１）が位置する。これにより、下段側のトレー１０のワーク受容溝４０に受容されて第１水平方向Ｈ１で隣り合うワーク８０，８０同士の隙間に、上段側のトレー１０の下側ピーク部が突入して、デッドスペースが削減され、トレー１０の段積み時の高さを抑えることができる。また、ワーク８０の外径によっては、下段側のトレー１０のワーク８０に上段側のトレー１０の波形壁１４の下面を当接させた状態に段積みすることもでき、これにより、デッドスペースのさらなる削減が図られ、トレー１０の段積み時の高さが抑えられる。
【００３９】
なお、ワーク８０を受容していない不使用時にも、複数のトレー１０が交互に１８０度向きを変えて段積みしておけば、トレー１０同士が互いに平行な状態で安定すると共に、トレー１０同士の僅かな隙間が形成されて密着しなくなり、トレー１０同士の離間が容易になる。
【００４０】
ところで、図１２に示すように、上下のトレー１０，１０の目印２４Ａを同じ向きにして誤って段積みされることが想定される。また、誤って段積みされると、図１２に示すように下段側のトレー１０のワーク８０に対し、上段側のトレー１０の下側ピーク部が突き合わされ、上述したデットスペースの削減を図ることができなくなる。しかしながら、本実施形態のトレー１０では、上下のトレー１０，１０の目印２４Ａを同じ向きにして誤って段積みされると、図１３及び図１４に示すように、上段側のトレー１０の係合突部２６が下段側のトレー１０の上面凹部２５に受容されず、下段側のトレー１０の上面に当接して、図１５に示すように、上段側のトレー１０が下段側のトレー１０に対して傾斜する。これにより、誤りに気づかせることができる。また、本実施形態のトレー１０では、平面形状の長方形の１対の長辺に上面凹部２５と係合突部２６とが配置されているので、１対の短辺に配置されている場合に比べ、誤ってトレー１０，１０同士を同じ向きにして段積みしたときの上段側のトレー１０の傾斜が大きくなり、容易に誤りを気づかせることができる。
［他の実施形態］
【００４１】
（１）前記実施形態のトレー１０の波形壁１４は、三角波形状をなしていたが、これに限定されるものではなく、波形壁の形状を、正弦波形状でもよく、また、山部と谷部とが異なる形の波形状であってもよい。具体的には、従来技術で言及した実開平６−６７３３３号公報に開示のトレーの波形壁のように、円弧溝部と平坦部分とが交互に繰り返された波形形状の波形壁を有するトレーに、上記開示の構成を適用してもよい。
【００４２】
（２）前記実施形態のトレー１０に受容されるワーク８０は、円板状であったが、円柱状又は円筒状であってもよい。
【００４３】
（３）前記実施形態のトレー１０は、同じ向きで段積みしたときに上段側のトレー１０が傾斜するように上面凹部２５と係合突部２６とを備えていたが、上面凹部２５及び係合突部２６に相当する部位を設けずに、同じ向きで段積みしたときに上段側のトレーが下段側のトレーに対して傾斜しない構成にしてもよい。その場合、上段側のトレーの上側ピーク部の下方に下段側のトレーの上側ピーク部が突入する構成にして、不使用時の段積み高さが小さくなるようにしてもよい。
【符号の説明】
【００４４】
１０    トレー
１４    波形壁
２０    長側壁（側壁）
２１    短側壁（側壁）
２５    上面凹部
２６    係合突部
４０    ワーク受容溝
８０    ワーク
【図１】
2019218064.tif 000003
【図２】
2019218064.tif 000004
【図３】
2019218064.tif 000005
【図４】
2019218064.tif 000006
【図５】
2019218064.tif 000007
【図６】
2019218064.tif 000008
【図７】
2019218064.tif 000009
【図８】
2019218064.tif 000010
【図９】
2019218064.tif 000011
【図１０】
2019218064.tif 000012
【図１１】
2019218064.tif 000013
【図１２】
2019218064.tif 000014
【図１３】
2019218064.tif 000015
【図１４】
2019218064.tif 000016
【図１５】
2019218064.tif 000017